(57)【要約】【課題】回線接続、結線作業が容易になり、レイアウト変更時の配線換えが簡略化され、品質が安定し、不具合がなくなる屋内配線システムを提供する。【解決手段】本発明の屋内配線システムは、幹線ケーブル１１の所定位置にモールド形成された、電源・スイッチ用コネクタジョイント部１２及び照明用コネクタジョイント部１３を備え、電源用コネクタ付ケーブル１４、スイッチ用コネクタケーブル１５及び照明用コネクタケーブル１３が各コネクタジョイント部に嵌合接続される。【選択図】      図１
2004357364.tif 000002
【特許請求の範囲】
【請求項１】
幹線ケーブルの所定位置にモールド形成された、電源・スイッチ用コネクタジョイント部及び照明用コネクタジョイント部を備え、電源用コネクタ付ケーブル、スイッチ用コネクタケーブル及び照明用コネクタケーブルが前記各コネクタジョイント部に嵌合接続されることを特徴とする屋内配線システム。
【請求項２】
前記電源用コネクタ、スイッチ用コネクタ及び照明用コネクタは係止部を有し、前記電源・スイッチ用コネクタジョイント部及び照明用コネクタジョイント部はそれぞれ前記係止部を受ける凹所を有することを特徴とする請求項１に記載の屋内配線システム。
【発明の詳細な説明】
【０００１】
【発明の属する技術分野】
本発明は、屋内配線におけるケーブル接続の簡略化を図る屋内配線システムに関する。
【０００２】
【従来の技術】
従来の屋内配線工法を図６を参照して説明する。
従来、ケーブル１を接続する場合、ケーブル１のシース５及び絶縁体３を任意の長さで皮むきした後、導体４を圧着スリーブ６等にて結線接続する。圧着スリーブ６にて結線接続した部分を絶縁キャップ７、ビニールテープ、絶縁チューブ等にて絶縁をする。このようして接続されたケーブル接続部分をジョイントボックス２に収納するようになっている。
【０００３】
また、下記特許文献１には、コネクタ付き多対幹線ケーブルが開示されている。このケーブルによれば、平型多対コネクタと心線を埋め込むように樹脂モールド部を形成する。樹脂モールドの平型多対コネクタの前面側に相手方コネクタを案内するための案内平面を形成し、平型多対コネクタの後面側にコネクタ接続工具を挿入する凹部を形成する（特許文献１参照）。
【０００４】
【特許文献１】
特開２０００−１３９０１７号公報（第２頁、図１）
【０００５】
【発明が解決しようとする課題】
上記従来の屋内配線工法においては、ケーブル１のシース５、絶縁体３の皮むき作業があるために、作業時間がかかり、効率が低い作業となっている。また、結線作業を行うには、電気工事士等の資格が必要になり、作業者が制限されるという側面がある。さらに、ケーブルの皮むき作業、結線接続作業のような個人差のでる作業があるために結線部分に不具合が発生する可能性がある。また、室内のレイアウトを変更する場合、配線換えが必要となるが、配線換え時に既存配線の撤去、新規ケーブルの付設、結線作業が新たに発生し、工数が増大するといった問題があった。
【０００６】
また、上記特許文献１に記載されている平型多対コネクタでは、取付け時に取付用の工具を用いなければならず、その工具のために後面側にコネクタ接続工具を挿入する凹部を形成する必要がある。
【０００７】
本発明は、上記した内容に鑑みてなされたもので、回線接続が容易になり、結線作業がどの作業員によっても行うことができ、レイアウト変更時の配線換えが簡略化され、しかも品質が安定し、不具合がなくなる屋内配線システムを提供することを目的とする。
【０００８】
【課題を解決するための手段】
本発明に係る上記課題は、幹線ケーブルの所定位置にモールド形成された、電源・スイッチ用コネクタジョイント部及び照明用コネクタジョイント部を備え、電源用コネクタ付ケーブル、スイッチ用コネクタケーブル及び照明用コネクタケーブルが前記各コネクタジョイント部に嵌合接続されることを特徴とする屋内配線システムによって達成することができる。
【０００９】
前記構成の屋内配線システムによれば、予め工場で製造したモールド付き幹線ケーブルと各コネクタ付きケーブルを施工現場において付設する。コネクタケーブルを予め、照明器具、スイッチ器具、分電盤に取り付け、任意の場所にコネクタを仮置きしておき、それに合わせてモールド付き幹線ケーブルを付設し、コネクタ付きケーブルをモールド付き幹線ケーブルに嵌合接続する。
したがって、屋内配線におけるケーブル接続が容易化され、皮むき結線作業がなくなるために電気工事士の資格も不要になり、作業時間の短縮、作業コストの低減が可能になる。さらに、室内のレイアウトの変更時にそれに伴う配線換えも容易になる。
【００１０】
また、電源用コネクタ、スイッチ用コネクタ及び照明用コネクタは係止部を有し、前記電源用コネクタジョイント部、スイッチ用コネクタジョイント部及び照明用コネクタジョイント部はそれぞれ前記係止部を受ける凹所を有することが好ましい。
【００１１】
前記構成の屋内配線システムによれば、各コネクタと各ジョイント部は、各コネクタの係止部とジョイントを受ける凹所によって嵌合接続されるために、各コネクタを各ジョイント部に押し込むだけで確実に接続が可能になる。
したがって、嵌合接続するために工具を使用せずに、各コネクタと各ジョイント部を接続することができ、接続作業時間の短縮、作業コストの低減が可能になる。
【００１２】
【発明の実施の形態】
以下、本発明の屋内配線システムの一実施形態を図１〜図４に基づいて説明する。図１は、本発明の屋内配線システムの電源用コネクタジョイント部、スイッチ用コネクタジョイント部及び照明用コネクタジョイント部と、該電源用コネクタ付ケーブル、スイッチ用コネクタケーブル及び照明用コネクタケーブルとの接続前の分解斜視図、図２は接続後の斜視図、図３はジョイント部の概略的な斜視図、図４はコネクタ構造の断面図である。
【００１３】
図１及び図２に示すように、本実施形態の屋内配線システムは、モールド付き幹線ケーブル１１、電源・スイッチ用コネクタジョイント部１２、照明用コネクタジョイント部１３、電源用コネクタケーブル１４、スイッチ用コネクタ付きケーブル１５、照明用コネクタ付きケーブル１６により構成される。
モールド付き幹線ケーブル１１には、電源スイッチ用コネクタジョイント部１２、照明用コネクタジョイント部１３が幹線ケーブル１７にモールド成形されている。
【００１４】
また、電源・スイッチ用コネクタジョイント部１２には、電源用コネクタ付きケーブル１４の受け口１２ａと、スイッチ用コネクタ付きケーブルの受け口１２ｂが設けられており、内部にスイッチ回路が構成され、モールド付き幹線ケーブル１１への電源への入切は、スイッチ２０によって行うようになっている。照明用コネクタジョイント部１２には、照明用コネクタ付きケーブル１６のコネクタ１６の受け口１３ａが設けられており、照明への配線回路が構成されている。
【００１５】
また、電源用コネクタ１７、スイッチ用コネクタ１８及び照明用コネクタ１９は両端面に、それぞれ係止部２２を有し、電源スイッチ用コネクタジョイント部１２及び照明用コネクタジョイント部１３は、それぞれ各コネクタ１７，１８，１９の係止部２２を受ける凹所２３を有する。この係止部２２及び凹所２３により、各コネクタ１７，１８，１９をコネクタジョイント部１２，１３に挿入することにより、しっかりと嵌合固定することができる。
【００１６】
図２は、電源用コネクタ付きケーブル１４、スイッチ用コネクタ付きケーブル１５及び照明用コネクタ付きケーブル１３が、電源・スイッチ用コネクタジョイント部１２及び照明用コネクタジョイント部１３に嵌合接続され組み立てられた後の状態を示す。電源用コネクタ付きケーブル１４は、分電盤２１よりモールド付き幹線ケーブル１１へ電源を供給する。スイッチ用コネクタ付きケーブル１５は、スイッチと電源・スイッチ用コネクタジョイント部１２との間の電気的接続を行う。照明用コネクタ付きケーブル１６は、モールド付き幹線ケーブルより照明に電気を供給する。
【００１７】
次に、図３に示すように、第１のケーブル２５及び第２のケーブル２６において、電源の第１端子２７はスイッチの第１の端子２８と接続され、電源の第２の端子２９はスイッチの第１端子３０と接続されている。接続端子２７，２８，２９，３０はタブ形状になっている。また、接続端子２７，２８，２９，３０と第１のケーブル２５、第２のケーブル２６とは、圧接接続、半田付け等によって接続される。
【００１８】
図４（Ａ）に示すように、嵌合前の電源・スイッチ用コネクタ１８と電源・スイッチ用コネクタジョイント部１２の端子構造において、ケーブルシース３１に被覆されたケーブル絶縁体３２中のケーブル導体３３の端部がハウジング３４内に形成されたばね形状の端子３５に接続されている。コネクタ側の端子３５の受け口３５ａは、ジョイント部側の端子３０を受け入れ易くするために、ハウジング３４の底面に向かって拡開している。
【００１９】
図４（Ｂ）に示すように、端子３０とコネクタ側の端子３５とが嵌合状態において、コネクタ１８に係止部２２（図２参照）が設けられており、ジョイント部１２に各コネクタ１７，１８，１９の係止部２２を受ける凹所２３が設けられている。このため、嵌合時に係止部２２と凹所２３とが嵌合し、コネクタが抜けないように固定することができる。
【００２０】
次に、本発明の屋内配線システムの配線方法を図５に基づいて説明する。
先ず、予めモールド付き幹線ケーブル１１と各コネクタ付きケーブル１４，１５，１６を工場で製造する。これらのケーブル１１，１４，１５，１６を施工現場に搬送する。施工現場において、各コネクタ付きケーブルを予め照明器具４０、スイッチ器具２０、及び分電盤２１に取り付ける。任意の場所にコネクタを仮置きしておき、それに合わせ、モールド付き幹線ケーブル１１を付設する。
【００２１】
また、屋内のレイアウト変更による配線換え時には、各コネクタ付きケーブル１４，１５，１６をモールド付き幹線ケーブルより取り外し、変更されたレイアウトに沿って付設し直した後に、各コネクタ付きケーブル１４，１５，１６を再度モールド付き幹線ケーブル１１に接続することによって、屋内のレイアウトの変更に対応する。
【００２２】
上述したように本実施形態の屋内配線システムによれば、屋内配線によるケーブル接続が簡略化され、電気工事士の資格がなくとも配線作業をすることが可能になり、さらにレイアウト変更時の配線換えも簡略化できる。
【００２３】
なお、本発明の屋内配線システムは上述した実施形態に制限されるものではない。例えば、ジョイント部の幹線導体と接続端子３０について、接続端子３０がタブ形状となっている例を説明したが、受けのばね形状となっていてもよい。この場合は、コネクタ側がタブ形状となる。
【００２４】
また、配線方法について、施工現場において、各コネクタ付きケーブルを予め照明器具４０、スイッチ器具２０、及び分電盤２１に取り付け、任意の場所にコネクタを仮置きしておき、それに合わせてモールド付き幹線ケーブル１１を付設する例を説明したが、コネクタ付きケーブルをケーブル付き幹線ケーブル１１に取り付けておき、コネクタ付き幹線ケーブル１１を付設した後、照明器具４０等にケーブル端末を接続するようにすることもできる。
【００２５】
【発明の効果】
以上説明したように本発明の屋内配線システムによれば、幹線ケーブルの所定位置にモールド形成された、電源・スイッチ用コネクタジョイント部及び照明用コネクタジョイント部を設け、電源用コネクタ付ケーブル、スイッチ用コネクタケーブル及び照明用コネクタケーブルを前記各コネクタジョイント部に嵌合接続する。
【００２６】
したがって、屋内配線におけるケーブルの付設、回路接続が簡単にできるようになる。また、皮むき作業、結線作業がなくなるために電気工事士の資格も不要になり、作業の容易化、作業時間の短縮、作業コストの低減が可能になる。また、予め工場で製造するため、施工現場での皮むき作業、結線作業のような個人差のでる作業を解消することができ、作業が均一化され不具合が発生することを防止することができる。さらに、品質の管理を集中的に行うことができ、品質がさらに安定する。また、室内のレイアウトの変更時にそれに伴う配線換えも複雑な電気工事がなくなるために容易になる。
【図面の簡単な説明】
【図１】本発明の屋内配線システムの各ジョイント部と各コネクタ部の嵌合接続前の斜視図である。
【図２】本発明の屋内配線システムの各ジョイント部と各コネクタ部の嵌合接続後の斜視図である。
【図３】本発明の屋内配線システムの各ジョイント部の構造を示す斜視図である。
【図４】（Ａ）図は本発明の屋内配線システムの各コネクタ部の嵌合前の構造を示す断面図、（Ｂ）図は本発明の屋内配線システムの各コネクタ部の嵌合後の構造を示す断面図である。
【図５】本発明の屋内配線システムの配線例を示す平面図である。
【図６】従来の屋内配線システムのジョイントボックスを示す斜視図である。
【符号の説明】
１    ケーブル
２    ジョイントボックス
３    絶縁体
４    導体
５    シース
６    圧着スリーブ
７    絶縁キャップ
１２  電源・スイッチ用コネクタジョイント部
１３  照明用コネクタジョイント部
１４  電源用コネクタ付きケーブル
１５  スイッチ用コネクタ付きケーブル
１６  照明用コネクタ付きケーブル
１７  幹線
２０  電源
２２  係止部
２３  凹所
２５  第１のケーブル
２６  第２のケーブル
３１  ケーブルシース
３２  ケーブル絶縁体
３３  ケーブル導体
３４  ハウジング
【図１】
2004357364.tif 000003
【図２】
2004357364.tif 000004
【図３】
2004357364.tif 000005
【図４】
2004357364.tif 000006
【図５】
2004357364.tif 000007
【図６】
2004357364.tif 000008